(57)【要約】【課題】リントフィルタで捕獲されたリントの回収量を増やし、排出頻度を少なくする。【解決手段】衣類より発生するリントを捕獲するフィルタ部１１と、前記フィルタ部１１に捕獲されたリントを回収するリント回収部２０と、前記フィルタ部１１に捕獲されたリントを前記リント回収部２０に排出する排出手段１７とを備え、風路９を循環する空気の一部を前記リント回収部２０を通して前記フィルタ部１１の下流側の前記風路９へ流れるようにしたものである。【選択図】図２
2008006045.tif 000002
【特許請求の範囲】
【請求項１】
槽内に回転自在に設けられた回転ドラムと、前記回転ドラム内に収容した衣類の乾燥を行うための空気を循環させる風路と、前記風路に送風する送風手段と、乾燥用空気を加熱する加熱手段または除湿する除湿手段と、衣類より発生するリントを捕獲するフィルタ部と、前記フィルタ部に捕獲されたリントを回収するリント回収部と、前記フィルタ部に捕獲されたリントを前記リント回収部に排出する排出手段とを備え、前記風路を循環する空気の一部を前記リント回収部を通して前記フィルタ部の下流側の前記風路へ流れるようにした洗濯乾燥機。
【請求項２】
フィルタ部は、風路を循環する循環空気の送風方向にほぼ直交した略半円筒状フィルタを有し、排出手段は、前記略半円筒状フィルタのリント捕獲面に内接して回転するらせん状の線材で構成した請求項１記載の洗濯乾燥機。
【請求項３】
リント回収部は、フィルタ部側へのリントの逆流を防止する逆止弁を設けた請求項１または２記載の洗濯乾燥機。
【請求項４】
リント回収部は、機外に取り外し可能に設けたリント回収箱に設けた請求項１〜３のいずれか１項に記載の洗濯乾燥機。
【請求項５】
リント回収箱は、一部を洗濯乾燥機の外面に位置させてリント回収部を透視可能に設けた請求項４記載の洗濯乾燥機。
【請求項６】
リント回収部は、洗濯乾燥機の外面に開閉可能な常閉の装着部を設け、前記装着部に掃除機のホースを挿入可能に設けた請求項１〜５のいずれか１項に記載の洗濯乾燥機。
【発明の詳細な説明】
【技術分野】
【０００１】
本発明は、洗濯・脱水と乾燥を同一回転槽内で行う洗濯乾燥機に関するものである。
【背景技術】
【０００２】
従来のこの種の洗濯乾燥機について、図５を用いて説明する。図５に示すように、乾燥運転時は、回転ドラム４１から排出された高温高湿の空気は、送風手段４２により槽４３の排気口４４から出て除湿手段４５に導かれる。除湿手段４５により除湿された空気を加熱手段４６で加熱し、再び、槽４３の吸気口４７より回転ドラム４１内に供給される。このとき発生したリントは、除湿手段４５の手前側の風路４８に設けられたリントフィルタ４９により捕獲される。
【０００３】
また、従来の洗濯乾燥機における除湿手段４５は、冷却水で直接水冷する方法、熱交換器により空冷する方法、またはヒートポンプ装置の凝縮器での熱交換、さらには、吸湿材による除湿方法がある。また、加熱手段としてはヒータによる直接加熱や、ヒートポンプ装置の蒸発器での熱交換等の方法がある。特に、吸湿材や熱交換器を使用する場合、細かい隙間を乾燥空気が通過するため、リント等のごみが目詰まりすることは避けなければならない。そのため、リントフィルタによりリントを捕獲し、リント等が乾燥風路を循環しないように構成している。また、リントフィルタへリント等が捕獲されることによりリントフィルタ自体が目詰まりお起こすため、リントフィルタは着脱自在にして、掃除できるようにしている。またリントフィルタを自動で掃除できる構成とし、リントフィルタの掃除を行わずにすむよう構成しているものもある（例えば、特許文献１参照）。
【特許文献１】特開２００６−１０２３４６号公報
【発明の開示】
【発明が解決しようとする課題】
【０００４】
しかしながら、リントフィルタ部は乾燥用空気の風路内に構成されるため、乾燥空気の風量に大きな影響を与え、この構成次第で乾燥性能にも大きな影響を与えるものである。特許文献１に記載の構成のように、リントフィルタで捕獲したリントを排出手段により掃除する構成とし、リントの捕獲での目詰まりによる風量低下を少なくし、さらにリントを回収し、一旦保留できる構成となっている。しかし、保留されるリントは綿状であり、保留容積を大きくとらなければ、比較的頻繁に保留されたリントを外部に排出する必要があった。また、保留部からの取り出し時にはリントが手に触れ、外部へ飛散してしまうことが考えられる。さらに、保留部のリントの保留がいっぱいになると、フィルタ部にリントがつまり、逆に大きな抵抗となってしまうことも起こる。
【０００５】
本発明は、上記従来の課題を解決するもので、リントフィルタに捕獲されたリントの回収量を増やし、排出頻度を少なくすることを目的としている。
【課題を解決するための手段】
【０００６】
上記従来の課題を解決するために、本発明の洗濯乾燥機は、リントを捕獲するフィルタ部と、前記フィルタ部に捕獲されたリントを回収するリント回収部と、前記フィルタ部に捕獲されたリントを前記リント回収部に排出する排出手段とを備え、風路を循環する空気の一部を前記リント回収部を通して前記フィルタ部の下流側の前記風路へ流れるようにしたものである。
【０００７】
これにより、乾燥用空気の一部がリント回収部内を流れ、リント回収部に溜まったリントが圧縮されてカサを少なくすることができるため、リント回収部に貯めるリント量が多くなり、リントを廃棄する回数を減らすことができる。
【発明の効果】
【０００８】
本発明の洗濯乾燥機は、捕獲したリントの容積を減らして貯蔵量を増すことができ、リントの排出頻度を少なくすることができる。
【発明を実施するための最良の形態】
【０００９】
第１の発明は、槽内に回転自在に設けられた回転ドラムと、前記回転ドラム内に収容した衣類の乾燥を行うための空気を循環させる風路と、前記風路に送風する送風手段と、乾燥用空気を加熱する加熱手段または除湿する除湿手段と、衣類より発生するリントを捕獲するフィルタ部と、前記フィルタ部に捕獲されたリントを回収するリント回収部と、前記フィルタ部に捕獲されたリントを前記リント回収部に排出する排出手段とを備え、前記風路を循環する空気の一部を前記リント回収部を通して前記フィルタ部の下流側の前記風路へ流れるようにしたことにより、風路を流れる乾燥用空気の一部がバイパスしてリント回収部内を通って、略半円筒状フィルタ部の下流側へと流れる。この空気の流れにより、リント回収部に溜まったリントが圧縮され、カサを少なくすることができるため、リント回収部に貯めるリント量が多くなり、リントを廃棄する回数を大幅に減らすことができるとともに、リントが圧縮された形で溜まるため、廃棄時に飛散し、床を汚すという心配もなくなる。
【００１０】
第２の発明は、特に、第１の発明のフィルタ部は、風路を循環する循環空気の送風方向にほぼ直交した略半円筒状フィルタを有し、排出手段は、前記略半円筒状フィルタのリント捕獲面に内接して回転するらせん状の線材で構成したことにより、フィルタを通過する空気の流れがフィルタ通過の前後で同一方向とすることができ、フィルタ部での圧力損失を少なくすることができるとともに、リントの捕獲面積を平面フィルタより大きくとることができる。また、らせん状の線材を回動させることにより、フィルタ面に捕獲したリントをリント回収部へ押し出して除去することができるとともに、風路を流れる空気抵抗を生じさせることなく排出手段を風路内に構成することができる。
【００１１】
第３の発明は、特に、第１または第２の発明のリント回収部は、フィルタ部側へのリントの逆流を防止する逆止弁を設けたことにより、排出手段によりリント回収部に収納されたリントがフィルタ部に逆流するのを防止することができる。
【００１２】
第４の発明は、特に、第１〜第３のいずれか１つの発明のリント回収部は、機外に取り外し可能に設けたリント回収箱に設けたことにより、リントを廃棄する場合にリントに触ることなく、リント回収箱を本体外へ取り外して直接ゴミ箱等へ捨てることができ、手や床を汚すことなくリントを廃棄することができる。
【００１３】
第５の発明は、特に、第４の発明のリント回収箱は、一部を洗濯乾燥機の外面に位置させてリント回収部を透視可能に設けたことにより、外部よりリントの溜まっている状態が確認でき、リントの溜まりすぎによる乾燥空気の風量の低下を未然に防止することができる。
【００１４】
第６の発明は、特に、第１〜第５のいずれか１つの発明のリント回収部は、洗濯乾燥機の外面に開閉可能な常閉の装着部を設け、前記装着部に掃除機のホースを挿入可能に設けたことにより、リント回収部に溜まったリントを掃除機の吸引力を利用して簡単かつ清潔に回収することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における洗濯乾燥機の要部断面図である。図１に示すように、洗濯乾燥機の槽１の内部に衣類２を収容する回転ドラム３が設けてあり、槽１に固定した駆動モータ４により回転される。槽１は洗濯乾燥機の本体５に底部ダンパー６で支えられている。回転ドラム３に収容された衣類２は扉７を開けて出し入れできる。槽１の上方部に開口部８があり、それに連通する乾燥用空気の風路９が槽１の後部開口部１０とつながっている。また、風路９の途中には乾燥時に衣類２から発生するリントを捕獲するフィルタ部１１と、乾燥用空気の除湿手段１２および乾燥空気を循環させるための送風手段１３および乾燥空気を加熱する加熱装置１４が構成されている。また、回転ドラム３の駆動モータ４側には、開口部１５が設けられ、回転ドラム３内への乾燥空気の循環路が構成されている。
【００１７】
図２は前記フィルタ部１１のＡ−Ａ断面図である。図２において、風路９内に送風方向にほぼ直角に略半円筒状フィルタ１６が構成され、略半円筒状フィルタ１６の上流側、すなわち、リントの捕獲面側の内面に沿って可動する排出手段１７が設けられ、排出手段１７は、駆動装置１８により、略半円筒状フィルタ１６内面に沿ってらせん状の線材１９が回転するように構成されている。また、略半円筒状フィルタ１６に隣接し、排出手段１７のらせん状の線材１９先端には、排出されるリントを貯留するリント回収部２０が構成されている。
【００１８】
リント回収部２０は、リントを貯留するリント回収箱２１と、リント回収箱２１を収納し排出手段１７とつながる枠体２２とで構成され、枠体２２の一部は本体５の外面に臨ませた開口部２３につながり、リント回収箱２１が着脱できるようになっている。また、リント回収箱２１には開口部２１ａが設けられ、外部へ取出したときに、この開口部２１ａよりリント回収部２０に溜まったリントを捨てることができ、常時は閉じられている。
【００１９】
また、リント回収箱２１の底部にはフィルタ２１ｃを配設した開口部２１ｂが設けてあり、本体５への装着時に、リント回収箱２１に設けた開口部２１ｂと対向して枠体２２に開口部２２ａを設けている。開口部２２ａは連通路２４によりフィルタ部１１の下流側の風路９と連通させている。
【００２０】
上記構成において、その動作、作用を説明する。本発明の洗濯乾燥機の乾燥時において、乾燥を開始すると回転ドラム３が駆動モータ４により回転し、衣類２が撹拌される。同時に乾燥空気循環用の送風手段１３が運転され、加熱装置１４にも通電される。乾燥空気は回転ドラム３内の衣類２から水分を奪い、湿った状態となって槽１の開口部８より出てフィルタ部１１を通過し、空気中に混在するリント等を捕獲する。さらに除湿手段１２により乾燥空気中の水分を除去し、加熱装置１４により加熱され相対湿度の低下した乾燥空気を槽１の後部に設けた後部開口部１０より、回転ドラム３の開口部１５を通過して回転ドラム３内に循環するようになっている。
【００２１】
除湿手段１２は、水冷や空冷により熱交換器を設けて除湿する構成のほか、ヒートポンプ方式により冷媒の蒸発潜熱で除湿する構成、また、吸湿材等を用いて直接除湿する構成等々がある。加熱装置１４は、ヒータによる直接加熱や、ヒートポンプ方式の冷媒凝縮熱を利用した構成がある。
【００２２】
また、送風手段１３とフィルタ部１１は、乾燥用空気が循環する風路９内のどの位置にあってもかまわない。このように乾燥空気を循環させ、回転ドラム３内の衣類２を撹拌させながら、衣類２より水分を奪い、衣類２を乾燥させていくものである。
【００２３】
このとき、フィルタ部１１では、衣類２の進行により発生する、糸くず等のリントを略円筒状フィルタ１６で捕獲し、下流側に構成された除湿手段１２の熱交換器や、加熱装置１４にリントが付着し、目詰まりを起こして風量が低下したり、加熱面への付着を防止することができる。
【００２４】
図２に示すように、乾燥前、乾燥中または乾燥終了後のどの時点でもかまわないが、適宜、駆動装置１８を運転し、らせん状線材１９等で構成された排出手段１７を動作させることにより、略円筒状フィルタ１６の内面に付着したリントをリント回収部２０側へ押し出し、リント回収箱２１に貯留するようになっている。
【００２５】
前述したように乾燥空気の風量は、衣類２の乾燥性能に大きく影響するため、風路９内の圧損をできるだけ少なくする構成が望ましい。本発明のフィルタ部１１は、風路９の風の流れにほぼ直角に略円筒状フィルタ１６を構成しているため、風路９の曲がり等による圧力損失が全くない。また、排出手段１７の運転により、フィルタ面からリントを排出し、フィルタ部１１の圧力損失の低下を防止できるため、初期の乾燥性能を安定して維持することができる。
【００２６】
また、乾燥空気の一部がリント回収箱２１、フィルタ２１ｃ、枠体２２の開口部２２ａ、連通路２４を通過して、フィルタ部１１の下流側の風路９に流れる。この乾燥用空気の流れにより、リント回収箱２１に貯留しているリントが圧縮されて容積を小さくすることができる。これにより、貯留するリントの回収量を大幅に増やし、廃棄の回数を極力減らすことが可能となる。
【００２７】
（実施の形態２）
図３は実施の形態２におけるフィルタ部の部分断面図である。図３において、略半円筒状フィルタ１６内面に内接して回転するらせん状の線材１９で構成し、前記排出手段１７とリント回収部２０の連結部には逆止弁２５を設けている。これにより、一度排出手段１７により、リント回収箱２１に収納されたリントがいっぱいとなりあふれ出して逆流しないようにしたものである。
【００２８】
（実施の形態３）
図２に示すように、リント回収部２０は排出手段１７と連通する枠体２２と洗濯乾燥機の外部に着脱自在なリント回収箱２１よりなり、リントを廃棄する場合、リントに触らず、リント回収箱２１を本体５から取り外し、直接ゴミ箱等へ捨てることができ、手を汚したり、床を汚したりすることを防止できるものである。
【００２９】
（実施の形態４）
図２に示すように、リント回収箱２１は一部を洗濯乾燥機の外面に位置させ、透明材料で構成し、外部よりリントの溜まっている状態を確認できるようにしている。このため、リントが溜まりすぎ、フィルタ部１１から掃除したリントの排出ができなくなり、乾燥空気の風量が低下し乾燥性能が低下することを防止できるものである。
【００３０】
（実施の形態５）
図４は実施の形態５におけるリント回収部の部分断面図である。図４において、リント回収部２０には洗濯乾燥機の外部より、掃除機のホースの装着が可能で、装着により開閉可能な装着部２６を設け、リント回収部２０に貯留したリントを掃除機の吸引力を利用して簡単に回収できるため、手や床を汚し、リントが飛散してしますことを防止できるものである。
【産業上の利用可能性】
【００３１】
以上のように、本発明にかかる洗濯乾燥機は、捕獲したリントの容積を減らして貯蔵量を増すことができ、リントの排出頻度を少なくすることができるので、フィルタによりゴミを回収分離する空気清浄機や掃除機等の用途にも適用できる。
【図面の簡単な説明】
【００３２】
【図１】本発明の実施の形態１における洗濯乾燥機の要部断面図
【図２】同洗濯乾燥機の図１におけるＡ−Ａ断面図
【図３】本発明の実施の形態２における洗濯乾燥機のフィルタ部の断面図
【図４】本発明の実施の形態５における洗濯乾燥機のリント回収部の断面図
【図５】従来の洗濯乾燥機の断面図
【符号の説明】
【００３３】
１  槽
３  回転ドラム
４  駆動モータ
５  本体
９  風路
１１  フィルタ部
１２  除湿手段
１３  送風手段
１４  加熱装置
１６  略半円筒状フィルタ
１７  排出手段
１９  らせん状線材
２０  リント回収部
２１  リント回収箱
【図１】
2008006045.tif 000003
【図２】
2008006045.tif 000004
【図３】
2008006045.tif 000005
【図４】
2008006045.tif 000006
【図５】
2008006045.tif 000007